(57)【要約】【課題】低電圧誤動作防止機能が作動するタイミングを調整することができる、ＵＶＬＯの移行調整装置を提供する。【解決手段】直流電圧を保持するコンデンサ１Ｅと、コンデンサ１Ｅの電圧を分割する抵抗回路２と、抵抗回路２からの分割電圧がＥＮＡＢＬＥ端子３Ｃに加えられ、この分割電圧が所定値以下になると動作を停止するＩＣ３と、ＩＣ３のＥＮＡＢＬＥ端子３Ｃにバイアス電流を流す供給回路４とを備える。この構成によって、ＩＣ３のＥＮＡＢＬＥ端子３Ｃが低電圧誤動作防止機能をもつ場合、ＥＮＡＢＬＥ端子３Ｃにバイアス電流を流すので、ＩＣ３の低電圧誤動作防止機能が動作するまでの時間を調整することができる。【選択図】　図１
2004022947.tif 000002
【特許請求の範囲】
【請求項１】
直流電圧を保持するコンデンサと、
前記コンデンサの電圧を分割する抵抗回路と、
前記抵抗回路からの分割電圧が第１の端子に加えられ、この分割電圧が所定値以下になると動作を停止する集積回路と、
前記集積回路の第１の端子にバイアス電流を流す供給回路とを備えることを特徴とするＵＶＬＯの移行調整装置。
【請求項２】
直流電圧を保持するコンデンサと、
前記コンデンサの電圧を分割する抵抗回路と、
前記抵抗回路からの分割電圧がヒステリシス特性をもつ第１の端子に加えられ、この分割電圧が所定値以上になると動作し、この分割電圧がヒステリシス特性の最低値になると動作を停止する集積回路と、
前記集積回路の第１の端子にバイアス電流を流す供給回路とを備えることを特徴とするＵＶＬＯの移行調整装置。
【請求項３】
前記供給回路は、前記集積回路の基準電圧を利用して流れる電流を制限する抵抗と、前記抵抗からの電流をバイアス電流として前記集積回路の第１の端子に流すと共に前記集積回路の基準電圧に向かって流れる電流を防ぐダイオードとを備えることを特徴とする請求項１または２に記載のＵＶＬＯの移行調整装置。
【請求項４】
前記供給回路は、前記直流電圧を出力する電圧発生回路と、前記電圧発生回路からの直流電圧で流れる電流を制限する抵抗と、前記抵抗からの電流をバイアス電流として前記集積回路の第１の端子に流すと共に前記電圧発生回路に向かって流れる電流を防ぐダイオードとを備えることを特徴とする請求項１または２に記載のＵＶＬＯの移行調整装置。
【請求項５】
前記抵抗を可変にしたことを特徴とする請求項３または４に記載のＵＶＬＯの移行調整装置。
【発明の詳細な説明】
【０００１】
【発明の属する技術分野】
この発明は、低電圧誤動作防止（ＵＶＬＯ：Ｕｎｄｅｒ　Ｖｏｌｔａｇｅ　Ｌｏｃｋｏｕｔ）機能を備える集積回路に用いられる、ＵＶＬＯの移行調整装置に関する。
【０００２】
【従来の技術】
集積回路（以下、ＩＣという）には、ＥＮＡＢＬＥ端子を備えるものがある。所定値以上の電圧がＥＮＡＢＬＥ端子に加えられると、ＩＣが動作を開始する。このようなＩＣとして、例えばＰＷＭ（Ｐｕｌｓｅ　Ｗｉｄｔｈ　Ｍｏｄｕｌａｔｉｏｎ）制御用のパルスを発生するものがある。
【０００３】
ＩＣのＥＮＡＢＬＥ端子に電圧を加えるために、外付け回路が用いられる。外付け回路として、図９に示すようなものがある。端子１０１、１０２に交流電圧が加えられると、この電圧は、ヒューズ１０３を経て、ダイオードブリッジ１０４に加えられる。ダイオードブリッジ１０４は、交流電圧を整流する。ダイオードブリッジ１０４からの整流電圧は、コンデンサ１０５で平滑される。
【０００４】
一方、安定化電源部１４０は、安定化した直流電圧を発生し、ＩＣ１２０のＩＮ端子１２１にこの直流電圧を供給する。これによって、ＩＣ１２０は動作状態になる。直流電圧が加えられると、ＩＣ１２０は、発振によってＰＷＭ制御用のパルスを発生し、このパルスをＯＵＴ端子１２２から出力する。ＳＷ（スイッチング）制御部１３０は、ＩＣ１２０からのパルスを用いてＰＷＭ制御を行い、スイッチングによって前記平滑電圧から交流電圧を発生する。そして、ＳＷ制御部１３０は、発生した交流電圧の整流平滑を行い、直流電圧（ＤＣ　ＯＵＴ）を出力する。
【０００５】
一方、コンデンサ１０５による平滑電圧は、抵抗１１１と抵抗１１２とで構成される抵抗回路によって分割される。抵抗１１１、１１２による分割電圧は、ＩＣ１２０のＥＮＡＢＬＥ端子１２３に加えられる。ＥＮＡＢＬＥ端子１２３の電圧が、あらかじめ設定された設定レベルつまり所定値まで下がってくると、ＩＣ１２０が動作を止める。つまり、ＩＣ１２０は、低電圧誤動作防止機能を備えている。これによって、抵抗１１１、１１２による分割電圧が設定レベル以下になると、ＩＣ１２０は、発振動作を停止し、ＯＵＴ端子１２２からのパルスの出力を止める。
【０００６】
【発明が解決しようとする課題】
ところで、ＩＣ１２０のＥＮＡＢＬＥ端子１２３に対する前記の外付け回路からの電圧付加には、次のような問題点がある。つまり、ダイオードブリッジ１０４からの整流電圧が低下した場合、抵抗１１１、１１２による分割電圧が設定レベル以下になると、低電圧誤動作防止機能によって、ＩＣ１２０が動作を停止してしまう。
【０００７】
たとえば、電圧や電流の各値（図９）を次のようにする。
平滑電圧の値　Ｖ１
抵抗１１１の値　Ｒ１
抵抗１１１を流れる電流の値　Ｉ１
抵抗１１２の値　Ｒ２
【０００８】
このとき、ＥＮＡＢＬＥ端子１２３に加えられる分割電圧の値は次のようになる。
2004022947.tif 000003
【０００９】
つまり、ＥＮＡＢＬＥ端子１２３に加えられる分割電圧の値は、平滑電圧の値Ｖ１に比例する。図１０に示すように、コンデンサ１０５の平滑電圧の値が変化するとき（図１０のコンデンサ放電の直線）、ＥＮＡＢＬＥ端子１２３に入力される分割電圧の値が変化する（図１０の入力電圧の直線）。図１０の値ＶＡは、ＩＣ１２０が動作できる電圧であり、値ＶＢは前記の設定レベルである。平滑電圧が値Ｖ１１から低下し、値Ｖ１２の大きさの平滑電圧まで放電したとき、分割電圧が設定レベルＶＢに達し、ＩＣ１２０は、低電圧誤動作防止機能によって発振を停止してしまう。この場合の保持時間Ｔは、コンデンサ１０５の平滑電圧が値Ｖ１１から値Ｖ１２まで変化する間である。
【００１０】
つまり、ＩＣ１２０のＥＮＡＢＬＥ端子１２３に対して前記の外付け回路から電圧を付加する場合、コンデンサ１０５の容量の限界に満たないうちに、ＩＣ１２０が動作を停止してしまうという問題点がある。
【００１１】
この発明は、前記の課題を解決し、低電圧誤動作防止機能が作動するタイミングを調整することができる、ＵＶＬＯの移行調整装置を提供することにある。
【００１２】
【課題を解決するための手段】
前記課題を解決するために、請求項１の発明は、直流電圧を保持するコンデンサと、前記コンデンサの電圧を分割する抵抗回路と、前記抵抗回路からの分割電圧が第１の端子に加えられ、この分割電圧が所定値以下になると動作を停止する集積回路と、前記集積回路の第１の端子にバイアス電流を流す供給回路とを備えることを特徴とするＵＶＬＯの移行調整装置である。
【００１３】
また、請求項２の発明は、直流電圧を保持するコンデンサと、前記コンデンサの電圧を分割する抵抗回路と、前記抵抗回路からの分割電圧がヒステリシス特性をもつ第１の端子に加えられ、この分割電圧が所定値以上になると動作し、この分割電圧がヒステリシス特性の最低値になると動作を停止する集積回路と、前記集積回路の第１の端子にバイアス電流を流す供給回路とを備えることを特徴とするＵＶＬＯの移行調整装置である。
【００１４】
請求項３発明は、請求項１または２に記載のＵＶＬＯの移行調整装置において、前記供給回路は、前記集積回路の基準電圧を利用して流れる電流を制限する抵抗と、前記抵抗からの電流をバイアス電流として前記集積回路の第１の端子に流すと共に前記集積回路の基準電圧に向かって流れる電流を防ぐダイオードとを備えることを特徴とする。請求項４の発明は、請求項１または２に記載のＵＶＬＯの移行調整装置において、前記供給回路は、前記直流電圧を出力する電圧発生回路と、前記電圧発生回路からの直流電圧で流れる電流を制限する抵抗と、前記抵抗からの電流をバイアス電流として前記集積回路の第１の端子に流すと共に前記電圧発生回路に向かって流れる電流を防ぐダイオードとを備えることを特徴とする。請求項５の発明は、請求項３または４に記載のＵＶＬＯの移行調整装置において、前記抵抗を可変にしたことを特徴とする。
【００１５】
【発明の実施の形態】
つぎに、この発明の実施の形態について、図面を用いて説明する。
【００１６】
［実施の形態１］
図１は、この実施の形態による、ＵＶＬＯの移行調整装置を示す回路図である。図１のＵＶＬＯの移行調整装置は、平滑回路１、抵抗回路２、ＩＣ３、および供給回路４を備えている。なお、図１中では、５がＳＷ制御部であり、６が安定化電源部である。これらは、図９のＳＷ制御部１３０、安定化電源部１４０とそれぞれ同じであるので、説明を省略する。
【００１７】
平滑回路１は、端子１Ａ、１Ｂ、ヒューズ１Ｃ、ダイオードブリッジ１Ｄ、およびコンデンサ１Ｅを備えている。平滑回路１は、交流電圧を直流の平滑電圧に変換する。つまり、端子１Ａ、１Ｂに交流電圧が加えられると、この電圧は、ヒューズ１Ｃを経て、ダイオードブリッジ１Ｄに加えられる。ダイオードブリッジ１Ｄは、交流電圧を整流する。コンデンサ１Ｅは、ダイオードブリッジ１Ｄからの整流電圧を平滑し、直流の平滑電圧を生成する。
【００１８】
抵抗回路２は、抵抗２Ａと抵抗２Ｂとを備えている。抵抗回路２は、平滑回路１からの平滑電圧を分割する。つまり、平滑回路１のコンデンサ１Ｅに対して、抵抗２Ａと抵抗２Ｂとの直列回路が接続されている。そして、コンデンサ１Ｅの平滑電圧を抵抗２Ａと抵抗２Ｂとの比で分割する。
【００１９】
ＩＣ３は、ＩＮ端子３Ａ、ＯＵＴ端子３Ｂ、ＥＮＡＢＬＥ端子３Ｃ、およびＲＥＦ端子３Ｄを備えている。安定化電源部６からの直流電圧がＩＮ端子３Ａに加えられると、ＩＣ３は動作状態になる。そして、ＩＣ３は、発振によってＰＷＭ制御用のパルスを発生し、このパルスをＯＵＴ端子３Ｂから出力する。
【００２０】
ＩＣ３は低電圧誤動作防止（ＵＶＬＯ）機能をもつ。つまり、抵抗回路２からの分割電圧が、あらかじめ設定された所定値である設定レベル以下になると、ＩＣ３は、動作を停止し、ＯＵＴ端子３Ｂからのパルスの出力を止める。
【００２１】
また、ＩＣ３は、ＲＥＦ端子３Ｄに基準電圧を発生する。基準電圧は、安定化された一定の電圧である。
【００２２】
供給回路４は、ＩＣ３のＲＥＦ端子３ＤとＥＮＡＢＬＥ端子３Ｃとの間に接続されている。供給回路４は、ＥＮＡＢＬＥ端子３Ｃにバイアス電流を流す。このバイアス電流は、抵抗回路２の抵抗２Ｂを流れることになる。供給回路４の一例を図２に示す。図２の供給回路４は、抵抗４Ａとダイオード４Ｂとを備えている。抵抗４Ａは、ＩＣ３のＲＥＦ端子３Ｄから抵抗回路２の抵抗２Ｂに向かって流れる電流を制限する。ダイオード４Ｂは、抵抗回路２の分割電圧がＲＥＦ端子３Ｄの基準電圧より大きくなったときに、電流がＲＥＦ端子３Ｄに流れることを防ぐ。なお、ＩＣ３はＧＮＤ端子３Ｅを備え、ＧＮＤ端子３Ｅはグランドに接続されている。
【００２３】
この実施の形態によるＵＶＬＯの移行調整装置では、抵抗回路２の抵抗２Ｂにバイアス電流を流すことによって、低電圧誤動作防止機能が作動するタイミングを調整する。たとえば、電圧や電流の各値（図２）を次のようにする。
平滑電圧の値　Ｖ１
抵抗２Ａの値　Ｒ１
抵抗２Ａを流れる電流の値　Ｉ１
抵抗２Ｂの値　Ｒ２
抵抗２Ｂを流れる電流の値　Ｉ２
抵抗４Ａの値　Ｒ３
抵抗４Ａを流れる電流の値　Ｉ３
ＲＥＦ端子３Ｄの電圧の値　ＶＲＥＦ
【００２４】
ＥＮＡＢＬＥ端子３Ｃに加えられる分割電圧の値が電圧ＶＲＥＦより大きい場合、つまり、平滑電圧が通常の値の場合、分割電圧は次ぎのようになる。
2004022947.tif 000004
この場合、抵抗４Ａには電流が流れないのでＩ１＝Ｉ２であり、分割電圧が抵抗４Ａの値Ｒ３に依存しない。
【００２５】
ＥＮＡＢＬＥ端子３Ｃに加えられる分割電圧の値が電圧ＶＲＥＦより小さい場合、つまり、平滑電圧が低下すると、分割電圧は次ぎのようになる。
2004022947.tif 000005
この式から、ＥＮＡＢＬＥ端子３Ｃに加えられる分割電圧の値は、コンデンサ１Ｅからの電流Ｉ１に依存すると共に、ＲＥＦ端子３Ｄからの電流Ｉ３にも依存する。
【００２６】
また、ＲＥＦ端子３Ｄからの電流Ｉ３は、
2004022947.tif 000006
であり、抵抗４Ａの値Ｒ３に依存する。この結果、ＥＮＡＢＬＥ端子３Ｃに入力される分割電圧の値が抵抗４Ａの値Ｒ３に依存する。
【００２７】
図３に示すように、コンデンサ１Ｅの平滑電圧の値が変化するとき（図３のコンデンサ放電の直線）、ＥＮＡＢＬＥ端子３Ｃに加えられる分割電圧の値が変化する（図３の入力電圧の直線）。図３の値ＶＡは、ＩＣ３が動作できる電圧であり、値ＶＢは前記の設定レベルである。平滑電圧が値Ｖ１１から低下し、コンデンサ１Ｅの容量によって平滑電圧が値Ｖ１２になる。この状態のとき、従来技術によれば、入力電圧が値ＶＢに達しているので、ＩＣは動作を停止する。しかし、この実施の形態では、供給回路４から抵抗２Ｂに流れる電流Ｉ３によって、分割電圧が値Ｖ１２となり、この値は設定レベルＶＢに比べて大きくなる。この結果、ＩＣ３は、発振を継続し、ＯＵＴ端子３Ｂからパルスを出力する。
【００２８】
この後、コンデンサ１Ｅの電圧が値Ｖ１２から値Ｖ１３に低下すると、分割電圧が設定レベルＶＢになる。したがって、従来の保持時間Ｔに比べてΔＴだけ保持時間を延長することができ、ＩＣ３が低電圧誤動作防止機能に移行するまでの時間を長くすることができる。つまり、この実施の形態によれば、ＩＣ３のＥＮＡＢＬＥ端子３Ｃの電圧が設定レベルＶＢに達するまでの時間を操作可能にし、低電圧誤動作防止機能が作動するタイミングを調整することが可能である。
【００２９】
また、この実施の形態によれば、抵抗４Ａとダイオード４Ｂとを用いた簡単な回路によって、低電圧誤動作防止機能が作動するタイミングを調整することが可能である。
【００３０】
この実施の形態の変形例として、次のものがある。この変形例では、供給回路４の抵抗４Ａ（図２）を固定としが、この抵抗４Ａを可変にして、低電圧誤動作防止機能が作動するタイミングを可変抵抗によって調整する構成でもよい。これによって、ＥＮＡＢＬＥ端子３Ｃの電圧が設定レベルに達するまでの時間を任意に操作可能にする。
【００３１】
また、別の変形例として、ＩＣ３のＥＮＡＢＬＥ端子３Ｃがヒステリシス特性を持つようにしてもよい。この場合にも、ＥＮＡＢＬＥ端子３Ｃに入力される分割電圧がヒステリシス特性の最低値になると、ＩＣ３が動作を停止するので、ＥＮＡＢＬＥ端子３Ｃの電圧が最低値に達するまでの時間を操作可能にする。
【００３２】
［実施の形態２］
この実施の形態では、実施の形態１の供給回路４を次のようにしている。実施の形態１では、供給回路４が利用する電圧としてＩＣ３の基準電圧を用いたが、この実施の形態では、外部の電圧を用いる。図４に示すように、この実施の形態による供給回路１０は、電圧発生回路１１、抵抗１２、およびダイオード１３を備えている。
【００３３】
電圧発生回路１１は定電圧を発生する。この実施の形態では、電圧発生回路１１が発生する定電圧は、通常、ＩＣ３のＥＮＡＢＬＥ端子３Ｃに加えられる分割電圧に比べて小さい。電圧発生回路１１として、図５に示すものがある。この電圧発生回路は、交流電圧を定電圧に変換して出力する。つまり、コンデンサ１４Ｃが接続されている端子１４Ａと端子１４Ｂとの間に、スイッチ１４Ｄのオンで交流電圧が加えられると、トランス１４Ｅが交流電圧の大きさを変換する。変換された交流電圧をダイオード１４Ｆが整流し、整流された電圧をコンデンサ１４Ｇが平滑する。電圧発生回路は、こうして生成した直流電圧を定電圧として、端子１４Ｈ、１４Ｉから、抵抗１２とグランドとの間に出力する。
【００３４】
また、電圧発生回路１１からの定電圧を安定化するために、図６に示すように、レギュレータ１５Ｂを用いてもよい。レギュレータ１５Ｂは、端子１５Ａに入力された定電圧を安定化して、端子１５Ｃから出力する。端子１５Ｃからの安定化電圧が抵抗１２に加えられる。
【００３５】
さらに、図６に示す回路の代わりに図７に示すものを用いてもよい。図７では、端子１６Ａに入力された定電圧を、抵抗１６Ｂと定電圧ダイオード１６Ｃとによって安定化し、端子１６Ｄから出力する。端子１６Ｄからの安定化電圧が抵抗１２に加えられる。
【００３６】
こうして生成された定電圧または安定化電圧は、抵抗１２によって電流が制限され、ダイオード１３を経由して、ＩＣ３のＥＮＡＢＬＥ端子３Ｃに加えられる。ダイオード１３は、抵抗回路２の分割電圧が電圧発生回路１１の定電圧または安定化電圧より大きくなったときに、抵抗回路２から電圧発生回路１１へ電流が流れることを防止する。
【００３７】
ＩＣ３のＥＮＡＢＬＥ端子３Ｃに加えられた電流は抵抗２Ｂを流れる。この結果、実施の形態１と同様に、ＩＣ３の保持時間を従来の時間Ｔに比べて長くすることができる。つまり、この実施の形態によれば、ＩＣ３のＥＮＡＢＬＥ端子３Ｃの電圧が設定レベルに達するまでの時間を操作可能にし、低電圧誤動作防止機能が作動するタイミングを調整することが可能である。
【００３８】
この実施の形態の変形例として、次のものがある。この変形例では、供給回路１０の抵抗１２（図４）を固定としが、この抵抗１２を可変にして、低電圧誤動作防止機能が作動するタイミングを可変抵抗によって調整する構成でもよい。これによって、ＥＮＡＢＬＥ端子３Ｃの電圧が設定レベルに達するまでの時間を任意に操作可能にする。
【００３９】
また、別の変形例として、ＩＣ３のＥＮＡＢＬＥ端子３Ｃがヒステリシス特性を持つようにしてもよい。この場合にも、ＥＮＡＢＬＥ端子３Ｃに入力される分割電圧がヒステリシス特性の最低値になると、ＩＣ３が動作を停止するので、ＥＮＡＢＬＥ端子３Ｃの電圧が最低値に達するまでの時間を操作可能にする。
【００４０】
［実施の形態３］
この実施の形態では、実施の形態１の供給回路４を次のようにしている。実施の形態１では、供給回路４が利用する電圧としてＩＣ３の基準電圧を用いたが、この実施の形態では、実施の形態２と同じように外部の電圧を用いる。図８に示すように、この実施の形態による供給回路２０は、電圧発生回路２１、抵抗２２、２３、２４、およびダイオード２５を備えている。
【００４１】
抵抗２４とダイオード２５とは、図４の抵抗１２とダイオード１３とそれぞれ同じであり、説明を省略する。この実施の形態では、電圧発生回路２１が発生する定電圧は、ＩＣ３のＥＮＡＢＬＥ端子３Ｃに加えられる分割電圧に比べて大きい。このために、抵抗２２と抵抗２３とによる直列回路で、電圧発生回路２１が発生する定電圧を分割する。そして、分割した定電圧を抵抗２４に加える。電圧発生回路２１として、出力電圧は実施の形態２に比べて大きいが、図５の供給回路および図６、７の安定化回路を用いる。
【００４２】
抵抗２２、２３で分割された定電圧は、実施の形態２と同じように、抵抗２４によって電流が制限され、ダイオード２５を経由して、ＩＣ３のＥＮＡＢＬＥ端子３Ｃに加えられている。さらに、この電流は抵抗２Ｂを流れる。この結果、実施の形態２と同様に、ＩＣ３の保持時間を従来の時間Ｔ（図１０）に比べて長くすることができる。つまり、この実施の形態によれば、ＩＣ３のＥＮＡＢＬＥ端子３Ｃの電圧が設定レベルに達するまでの時間を操作可能にし、低電圧誤動作防止機能が作動するタイミングを調整することが可能である。
【００４３】この実施の形態の変形例として次のものがある。この変形例では、供給回路２０の抵抗２４（図８）を固定としが、この抵抗２４を可変にして、低電圧誤動作防止機能が作動するタイミングを可変抵抗によって調整する構成でもよい。これによって、ＥＮＡＢＬＥ端子３Ｃの電圧が設定レベルに達するまでの時間を任意に操作可能にする。
【００４４】
また、別の変形例として、ＩＣ３のＥＮＡＢＬＥ端子３Ｃがヒステリシス特性を持つようにしてもよい。この場合にも、ＥＮＡＢＬＥ端子３Ｃに入力される分割電圧がヒステリシス特性の最低値になると、ＩＣ３が動作を停止するので、ＥＮＡＢＬＥ端子３Ｃの電圧が最低値に達するまでの時間を操作可能にする。
【００４５】
以上、この発明の実施の形態を詳述してきたが、具体的な構成はこの実施の形態に限られるものではなく、この発明の要旨を逸脱しない範囲の設計の変更等があっても、この発明に含まれる。たとえば、実施の形態２、３では、供給回路として図５を用い、さらに、図６、７の安定化回路を付加したが、供給回路および安定化回路としては、各種のものを用いることができる。同じように、実施の形態１では、外部電源（安定化電源部６）からの直流電圧をＩＣ３に供給したが、コンデンサ１Ｅの電圧をＩＣ３用の直流電圧に変換して用いてもよく、また、ＳＷ制御部５からＩＣ３用の直流電圧に変換して用いてもよい。
【００４６】
【発明の効果】
以上、説明したように、この発明によれば、ＩＣがＥＮＡＢＬＥ端子のような第１の端子を備え、かつ、この端子が低電圧誤動作防止機能をもつ場合、第１の端子にバイアス電流を流すので、低電圧誤動作防止機能が動作するまでの時間を調整することができる。
【００４７】
また、この発明によれば、抵抗とダイオードとを用いた簡単な構成によって、所定値に達するまでの時間を操作することができる。さらに、抵抗を可変にしたので、最低値に達するまでの時間を任意に操作可能にする。
【図面の簡単な説明】
【図１】この発明の実施の形態１によるＵＶＬＯの移行調整装置を示す回路図である。
【図２】図１の供給回路の一例を示す回路図である。
【図３】実施の形態１による保持時間の調整を説明するための図である。
【図４】実施の形態２による供給回路の一例を示す回路図である。
【図５】図４の供給回路の一例を示す回路図である。
【図６】図５の供給回路の出力を安定化する回路の一例を示す回路図である。
【図７】図５の供給回路の出力を安定化する回路の他の例を示す回路図である。
【図８】実施の形態３による供給回路の一例を示す回路図である。
【図９】ＩＣの従来の外付け回路を示す回路図である。
【図１０】従来の技術による保持時間を説明するための図である。
【符号の説明】
１　平滑回路
１Ａ、１Ｂ　端子
１Ｃ　ヒューズ
１Ｄ　ダイオードブリッジ
１Ｅ　コンデンサ
２　抵抗回路
２Ａ、２Ｂ　抵抗
３　ＩＣ
３Ａ　ＩＮ端子
３Ｂ　ＯＵＴ端子
３Ｃ　ＥＮＡＢＬＥ端子
３Ｄ　ＲＥＦ端子
３Ｅ　ＧＮＤ端子
４、１０、２０　供給回路
４Ａ、１２、１６Ｂ、２２、２３、２４　抵抗
４Ｂ、１３、１４Ｆ、２５　ダイオード
１１、２１　電圧発生回路
１４Ａ、１４Ｂ、１４Ｈ、１４Ｉ、１５Ａ、１５Ｃ、１６Ａ、１６Ｄ　端子
１４Ｃ、１４Ｇ　コンデンサ
１４Ｄ　スイッチ
１４Ｅ　トランス
１５Ｂ　レギュレータ
１６Ｃ　定電圧ダイオード
５　ＳＷ制御部
６　安定化電源部
【図１】
2004022947.tif 000007
【図２】
2004022947.tif 000008
【図３】
2004022947.tif 000009
【図４】
2004022947.tif 000010
【図５】
2004022947.tif 000011
【図６】
2004022947.tif 000012
【図７】
2004022947.tif 000013
【図８】
2004022947.tif 000014
【図９】
2004022947.tif 000015
【図１０】
2004022947.tif 000016